(57)【要約】【課題】本発明は、高精細度テレビジョン方式（ＨＤＴＶ）の画像の画素数よりも多い画素数の撮像領域を複数に分割して撮像した撮像装置より出力された複数の映像信号を、任意の配列で伝送した後、表示装置で正しい順番により鮮明な高精細画像を表示する表示システムを提供する。【解決手段】撮像装置において複数に分割して撮像して得た映像信号に、複数に分割した位置の配列によるインデックス番号を映像信号のブランキング部分に付加し、表示装置でそのインデックス番号を読み取り、撮像時の複数に分割した位置の配列で映像信号の画像を表示する。【選択図】      図１
2005184441.tif 000002
【特許請求の範囲】
【請求項１】
高精細度テレビジョン方式の画像を構成する画素数よりも画素数が多い画像である超高精細度テレビジョン方式の1の画像を、前記高精細度テレビジョン方式の画像を複数用いて、前記超高精細度テレビジョン方式の画像と同一の画素数で表示する高精細画像表示システムであって、
前記超高精細度テレビジョン方式の画素数を有する撮像素子の受光部に結像された被写体光像に対し光電変換した映像信号を、所定の順序で複数画面に分割し、前記複数画面のそれぞれの映像信号に前記所定の順序で定めたインデックス番号を付加し、前記高精細度テレビジョン方式による複数の映像信号として生成した映像信号を並列に出力する撮像装置と、
前記インデックス番号を付加した前記高精細度テレビジョン方式による複数の映像信号を入力し、前記インデックス番号で定められた複数の画像の表示位置に、前記複数の映像信号による画像をそれぞれ表示する表示装置と、
前記撮像装置から前記超高精細度テレビジョン方式の1の画像を、前記高精細度テレビジョン方式の画像を複数用いて表示するための前記高精細度テレビジョン方式による複数の映像信号を前記表示装置に伝送する伝送部と、
を有することを特徴とする高精細画像表示システム。
【請求項２】
高精細度テレビジョン方式の画像を構成する画素数よりも画素数が多い画像である超高精細度テレビジョン方式の画素数を有する撮像素子の受光部に結像された被写体光像に対し光電変換した映像信号を、所定の順序で複数画面に分割し、前記複数画面のそれぞれの映像信号に前記所定の順序で定めたインデックス番号を付加し、前記高精細度テレビジョン方式による複数の映像信号として生成した映像信号を並列に出力する撮像装置において、
前記撮像装置から並列に出力される複数の映像信号のブランキング部分に、前記映像信号の前記所定の順序の表示位置を示す前記インデックス番号を付加したことを特徴とする撮像装置。
【請求項３】
請求項２に記載された撮像装置において、
前記撮像装置より出力される映像信号を前記高精細度テレビジョン方式の標準規格に準じて生成し、かつ前記インデックス番号を前記映像信号の前記高精細度テレビジョン方式の標準規格における補助データブランキング部分に挿入したことを特徴とする撮像装置。
【請求項４】
高精細度テレビジョン方式による複数の映像信号を入力し、前記高精細度テレビジョン方式の画像を構成する画素数よりも画素数が多い画像である超高精細度テレビジョン方式の画像を表示する表示装置において、
前記映像信号に表示位置を示すインデックス番号が付加されているか否かの判定手段と、
前記映像信号に表示位置を示すインデックス番号が付加されている場合、前記インデックス番号に基づいた表示位置の前記映像信号による画像を表示し、前記映像信号に表示位置を示すインデックス番号が付加されていない場合、予め前記表示装置で定めた表示位置で画像を表示する表示手段とを備えたことを特徴とする表示装置。
【請求項５】
請求項４に記載された表示装置であって、
前記映像信号に表示位置を示すインデックス番号が重畳して付加されているか否かの判定手段を有し、
前記表示手段は、前記映像信号に表示位置を示すインデックス番号が重畳して付加されている場合、前記重畳して付加されている番号の映像信号の１つを当該インデックス番号が示す所定の位置に画像表示し、表示されない前記重畳して付加されている他の同じ番号の映像信号をインデックス番号の欠如した表示位置の番号に前記表示装置で定めた順序で設定して画像表示することを特徴とする表示装置。
【発明の詳細な説明】
【技術分野】
【０００１】
本発明は、例えばＨＤＴＶ画像の画素数（縦１０８０画素×横１９２０画素）以上の画素数を持つ撮像装置を用いて、フィルム（シネマ）並みの画質を得る高解像度画像の表示システムに関する。
【背景技術】
【０００２】
ＨＤＴＶの４倍の画素数の映像信号を出力する超高精細撮像装置において、出力する際に１枚の画面を４つに分割してＨＤＴＶ規格の出力信号を４チャンネル用いて出力する方法がある。この場合、４本のＨＤＴＶ用ビデオケーブルが必要になる。
この４本のＨＤＴＶ用ビデオケーブルで伝送された映像信号を表示装置に表示する際に、伝送された受信側では、画面分割された映像信号を１枚の画像として正しい順番に表示するように、４本のＨＤＴＶ用ビデオケーブルのチャンネルを合わせる管理をする必要がある。
この順番の管理方法として、従来はケーブルの送信端と受信端に番号札をつけたり、ケーブルの色を変えたりして管理してきた。
図８に従来の高解像度画像表示システムの一例を示す。
この高解像度画像表示システムは、撮像画面２０を撮像して４チャンネルのＨＤＴＶ規格に基ずくＳＤＩデジタル直列信号を出力する撮像装置１、４チャンネルのＳＤＩデジタル直列信号を伝送する４本のＨＤＴＶ用ビデオケーブルとしてのＢＮＣケーブル（Ｃｂ１〜Ｃｂ４）、４チャンネルのＳＤＩデジタル直列信号をデジタル並列信号に変換した後、投影画面２１に撮像画面２０の画像を投影するプロジェクター７から構成される。
図８に示される撮像装置１は、レンズ２、ＨＤＴＶの４倍の画素数を持つ撮像素子３、撮像素子３から出力された撮像画面２０の電気信号をＨＤＴＶ規格に基づく画素配列の電気信号に変換する４分割回路４、そして、４分割回路４から出力された電気信号を４チャンネルのＳＤＩデジタル直列信号に変換して出力する回路６（ＳＤＩｏｕｔ１〜ＳＤＩｏｕｔ４）で構成される。
更に、図８に示されるプロジェクター７はＳＤＩデジタル直列信号の入力回路８（ＳＤＩｉｎ１〜ＳＤＩｉｎ４）、デジタル直列信号をデジタル並列信号に変換する回路９（シリアル／パラレル変換回路１〜シリアル／パラレル変換回路４）、デジタル並列信号を投射光に変換する出力回路１３、投影画面２１を図示しないスクリーンに投射光を結像させる光学系１２から構成される。
そして、撮像装置１の出力部Ｐａとプロジェクター７の入力部Ｐｂに、ＳＤＩ信号を伝送するＨＤＴＶ用ビデオケーブルとして４本のＢＮＣケーブル（Ｃｂ１〜Ｃｂ４）の入力端と出力端とを接続する。
この４本のＨＤＴＶ用ビデオケーブルで撮像装置１の出力部Ｐａから伝送されたＳＤＩ信号をプロジェクター７の入力部Ｐｂで受信する際に、伝送された受信側では、画面分割された複数の画像を１枚の超高精細画像となるよう正しい順番に表示するように、前述で述べたように、４本のＨＤＴＶ用ビデオケーブルの入力端と出力端に番号札をつけたり、ケーブルの色を変えたりして管理していた。
【特許文献１】特開２００３−３０９８２４号広報
【発明の開示】
【発明が解決しようとする課題】
【０００３】
しかし、この従来のやり方では、４本のＨＤＴＶ用ビデオケーブルの番号札が剥がれたり、送信側と受信側の接続者の順番の認識の違いで番号を逆に繋いでしまうと言う問題点を生じていた。
【０００４】
また、送信側と受信側の間を光ファイバーケーブルで繋ぎ、4チャンネルのHDTV信号を1本に多重伝送する際、多重伝送の変調機と復調機の機種の違いにより変調側のHDTV４チャンネル入力端子のチャンネル表示と復調側のHDTV４チャンネル出力端子のチャンネル表示に相関がない場合に誤配線を引き起こす問題点があった。
【０００５】
さらに、無線で4チャンネルのHDTV信号を多重伝送する際、多重伝送の変調機と復調機の機種の違いにより変調機側のHDTV４チャンネル入力端子のチャンネル表示と復調機側のHDTV４チャンネル出力端子のチャンネル表示に相関がない場合に誤配線を引き起こす問題点があった。
【０００６】
そこで本発明は、上記いずれの伝送方法によっても生ずる複数の映像信号の誤配線による問題点を解決して、撮像装置で撮像した被写体光像の画像の配列に合致した高精細画像を表示する表示システムを提供する。
【課題を解決するための手段】
【０００７】
上記の目的を達成するため、第１の発明の高精細画像システムは、高精細度テレビジョン方式の画像を構成する画素数よりも画素数が多い画像である超高精細度テレビジョン方式の1の画像を、前記高精細度テレビジョン方式の画像を複数用いて、前記超高精細度テレビジョン方式の画像と同一の画素数で表示する高精細画像表示システムであって、前記超高精細度テレビジョン方式の画素数を有する撮像素子の受光部に結像された被写体光像に対し光電変換した映像信号を、所定の順序で複数画面に分割し、前記複数画面のそれぞれの映像信号に前記所定の順序で定めたインデックス番号を付加し、前記高精細度テレビジョン方式による複数の映像信号として生成した映像信号を並列に出力する撮像装置（撮像装置１）と、前記インデックス番号を付加した前記高精細度テレビジョン方式による複数の映像信号を入力し、前記インデックス番号で定められた複数の画像の表示位置に、前記複数の映像信号による画像をそれぞれ表示する表示装置（プロジェクター７）と、前記撮像装置から前記超高精細度テレビジョン方式の1の画像を、前記高精細度テレビジョン方式の画像を複数用いて表示するための前記高精細度テレビジョン方式による複数の映像信号を前記表示装置に伝送する伝送部（ＢＮＣケーブルＣｂ１〜Ｃｂ４）と、を有する。
【０００８】
上記の目的を達成するため、第２の発明の撮像装置は、高精細度テレビジョン方式の画像を構成する画素数よりも画素数が多い画像である超高精細度テレビジョン方式の画素数を有する撮像素子の受光部に結像された被写体光像に対し光電変換した映像信号を、所定の順序で複数画面に分割し、前記複数画面のそれぞれの映像信号に前記所定の順序で定めたインデックス番号を付加し、前記高精細度テレビジョン方式による複数の映像信号として生成した映像信号を並列に出力する撮像装置において、前記撮像装置から並列に出力される複数の映像信号のブランキング部分に、前記映像信号の前記所定の順序の表示位置を示す前記インデックス番号を付加するものである。
【０００９】
上記の目的を達成するため、第３の発明の撮像装置は、前記第２の手段に記載されている撮像装置において、前記撮像装置より出力される映像信号を高精細度テレビジョン方式の標準規格（ＢＴＡＳ−００４Ｂ（放送技術開発協議会（ＢＴＡ：Ｂｒｏａｄｃａｓｔｉｎｇ  Ｔｅｃｈｎｏｌｏｇｙ  Ａｓｓｏｃｉａｔｉｏｎ））に準じて生成し、かつ前記インデックス番号を前記映像信号の前記高精細度テレビジョン方式の標準規格（ＢＴＡＳ−００５Ｂ）に準じて生成し、かつ前記インデックス番号を前記映像信号の前記高精細度テレビジョン方式の標準規格における補助データブランキング部分に挿入したものである。
上記の目的を達成するため、第４の発明の表示装置は、高精細度テレビジョン方式による複数の映像信号を入力し、前記高精細度テレビジョン方式の画像を構成する画素数よりも画素数が多い画像である超高精細度テレビジョン方式の画像を表示する表示装置において、前記映像信号に表示位置を示すインデックス番号が付加されているか否かの判定手段と、前記映像信号に表示位置を示すインデックス番号が付加されている場合、前記インデックス番号に基づいた表示位置の前記映像信号による画像を表示し、前記映像信号に表示位置を示すインデックス番号が付加されていない場合、予め前記表示装置で定めた表示位置で画像を表示する表示手段とを備えたものである。
上記の目的を達成するため、第５の発明の表示装置は、前記第４の手段に記載されている表示装置であって、前記映像信号に表示位置を示すインデックス番号が重畳して付加されているか否かの判定手段を有し、前記表示手段は、前記映像信号に表示位置を示すインデックス番号が重畳して付加されている場合、前記重畳して付加されている番号の映像信号の１つを当該インデックス番号が示す所定の位置に画像表示し、表示されない前記重畳して付加されている他の同じ番号の映像信号をインデックス番号の欠如した表示位置の番号に前記表示装置で定めた順序で設定して画像表示するものである。
【発明の効果】
【００１０】
本発明のような複数チャンネルの画像を伝送して表示する表示システムによれば、ビデオケーブルの番号札が剥がれて送信側と受信側で番号が異なったり、光伝送や無線伝送の多重伝送の変調機と復調機のチャンネルの順番に相関がなかったとしても、複数に分割された撮像画面を正しい順番で表示することが出来る効果がある。
【発明を実施するための最良の形態】
【００１１】
以下、本発明の実施の形態につき、好ましい実施例により、図面を参照して説明する。
【実施例】
【００１２】
図１に本発明に係る高解像度画像表示システムの一例を示す。
この高解像度画像表示システム例は、撮像画面２０を撮像して４チャンネルの高精細度テレビジョンの映像信号としてＨＤＴＶ規格に準ずるＳＤＩデジタル直列信号にＩＮＤＥＸ信号を付加して出力する撮像装置１、４チャンネルのＳＤＩデジタル直列信号を伝送する４本のＢＮＣケーブル（Ｃｂ１〜Ｃｂ４）、４チャンネルのＳＤＩデジタル直列信号をデジタル並列信号に変換した後ＩＮＤＥＸ信号を読み取り正しい順番の信号を確保して投影画面２１に撮像画面２０の画像を投影するプロジェクター７から構成される。
この図１に示された撮像装置１はレンズ２、ＨＤＴＶの４倍の画素数を持つ撮像素子３、撮像素子３から出力された撮像画面２０の電気信号をＨＤＴＶ規格に準ずる画素配列の電気信号に変換する４分割回路４、ＩＮＤＥＸ番号を付加するＩＮＤＥＸ信号挿入回路５(ＩＮＤＸ１〜ＩＮＤＸ４)、及びＩＮＤＥＸ信号が付加された各電気信号を４チャンネルのＳＤＩデジタル直列信号に変換して出力する回路６（ＳＤＩｏｕｔ１〜ＳＤＩｏｕｔ４）で構成される。
また同図の、プロジェクター７はＳＤＩデジタル直列信号の入力回路８（ＳＤＩｉｎ１〜ＳＤＩｉｎ４）、デジタル直列信号をデジタル並列信号に変換する回路９（シリアル／パラレル変換回路１〜シリアル／パラレル変換回路４）、デジタル並列信号からＩＮＤＥＸ信号を読み取る回路１０（ＩＮＤＸ読み取り１〜ＩＮＤＸ読み取り４）、デジタル並列信号から読み取られたＩＮＤＥＸ信号をもとに配列を正しく並べて投射光に変換する並べ替え回路＆出力回路１１、投影画面２１を図示しないスクリーンに投射光を結像させる光学系１２から構成される。
そして、撮像装置１の出力部Ｐａとプロジェクター７の入力部Ｐｂに、ＳＤＩ信号を伝送するＨＤＴＶ用ビデオケーブルとして４本のＢＮＣケーブル（Ｃｂ１〜Ｃｂ４）を接続する。
この４本のＨＤＴＶ用ビデオケーブルで撮像装置１の出力部Ｐａから伝送されたＳＤＩ信号をプロジェクター７の入力部Ｐｂで受信する際に、伝送された受信側では、画面分割された映像信号毎にＩＮＤＥＸが付加されているため、４本のＨＤＴＶ用ビデオケーブルの入力端と出力端に番号札をつけたり、ケーブルの色を変えたりしなくてもプロジェクター７において各映像信号のＩＮＤＥＸを読み取り正しい映像信号の配列に整列されて投影される。
以下に更に図１を詳細に説明する。
撮像装置1はＨＤＴＶの４倍の解像度（３８４０ｘ２１６０ピクセル）を持つ撮像素子３を使用する。この撮像素子３からは撮像画面２０をレンズ２により撮像素子の受光面に結像した光像を電気信号に変換して４分割回路４に送る。この時の電気信号の垂直駆動周波数はＨＤＴＶ規格の周波数に一致させて置き、撮像素子３の画素個々を駆動するクロック周波数は撮像素子３の動作周波数に合わせた並列電気信号とする。そして、次の４分割回路４でＨＤＴＶ規格のクロック周波数に一致させる。
例えば、ＨＤＴＶ規格によるクロック周波数ｆｃは７４．２５ＭＨｚであるから、撮像素子３のクロック周波数をｆｃの１／２の３７．１２５ＭＨｚで駆動させようとすると、撮像素子３の画素数はＨＤＴＶ規格の４倍であるから、例えば水平方向のみに分割する場合、４／（１／２）＝８となり８並列の電気信号が撮像素子３から４分割回路４へ送られる。
この撮像素子による分割方法は、ＣＣＤの場合は撮像素子３の駆動周波数が遅いため更に分割数を増やし、例えば水平に８分割、垂直に２分割したりしている。
ＣＭＯＳの場合は水平方向に分割する場合が多く、取り出し方向を垂直方向の上下にしている例もある。
そして、４分割回路４では、撮像素子３から種々の分割方法で得られたＨＤＴＶの４倍の解像度を持つ撮像画面２０の所定数の並列電気信号を、まず、４チャンネルのＨＤＴＶのデジタル並列信号に変換する。高精細度テレビジョン方式に用いられるＨＤＴＶ規格は放送技術開発協議会（ＢＴＡ：Ｂｒｏａｄｃａｓｔｉｎｇ  Ｔｅｃｈｎｏｌｏｇｙ  Ａｓｓｏｃｉａｔｉｏｎ）で定められており、デジタル並列信号についてはＢＴＡＳ−００４Ｂに定められている。
高精細テレビジョン方式の画像の画素数以上を持つテレビジョン方式を、総称して超高精細度テレビジョン方式と言い、ＱＨＤＴＶ、ＵＨＤＴＶ、メガビジョンと様々な提案がなされているが、これらの映像信号の伝送はいずれも高精細テレビジョン方式による複数の映像信号に変換して行う例がほとんどである。本発明では複数の高精細テレビジョン方式の映像信号を４とする例を示しているがこれに限定されるものではなく任意の数でよいのはもちろんである。
【００１３】
次にＩＮＤＥＸ信号を付加する回路５（ＩＮＤＸｉｎ１〜ＩＮＤＸｉｎ４）において、４分割回路４から送られてきた４チャンネルのデジタル並列信号にＩＮＤＥＸを付加する。デジタル並列信号ＢＴＡＳ−００４Ｂについての補助データのパケット構造はＢＴＡＳ−００５Ｂで図２に示すように定められているから、このパケット構造の中のＵＤＷを利用してＩＮＤＥＸを付加する。
図２のＡＤＦは０００ｈ，３ＦＦｈ，３ＦＦｈと決められている。ＤＩＤは例としてデータ識別番号の使用区分のユーザ用の５０ｈを設定する。ＳＤＩＤは０１ｈ〜ＦＦｈまで使用可能で例として０１ｈとする。
ＵＤＷはユーザデータワードで００４ｈ〜３ＦＢｈまで使用可能である。ここに４分割したＩＮＤＥＸ番号を割り振る。例として２０１ｈをＩＮＤＸ１、２０２ｈをＩＮＤＸ２、２０３ｈをＩＮＤＸ３、２０４ｈをＩＮＤＸ４とする。
この場合ＵＷＤのワード数は１ワードなのでＤＣで定められているデータカウントは１になる。ＣＳにはチェックサムワードを追加する。
【００１４】
補助データの挿入場所例としては、１ライン目の０ピクセルを先頭にY（輝度）データ系列のブランキング部に挿入する。
このようにしてＩＮＤＥＸ信号を付加する回路５においてＩＮＤＥＸ信号が付加された４チャンネルのデジタル並列信号を、ＳＤＩ信号に変換する回路６（ＳＤＩｉｎ１〜ＳＤＩｉｎ４）に加え、４チャンネルのＳＤＩデジタル直列信号（ＢＴＡＳ−００２Ｂによるデジタル直列信号）を得て出力部Ｐａから出力する。
この補助データにＩＮＤＥＸ番号が挿入された４チャンネルのＳＤＩ信号を、撮像装置１の出力部ＰａにＨＤＴＶビデオケーブル（Ｃｂ１〜Ｃｂ４）の一端を接続し、表示装置の例とするプロジェクター７の入力部Ｐｂにケーブルの他端を接続して、伝送する。
プロジェクター７は４チャンネルのＳＤＩ信号を入力回路８（ＳＤＩｉｎ１〜ＳＤＩｉｎ４）で受信した後、回路９（シリアル／パラレル変換回路１〜シリアル／パラレル変換回路４）でそれぞれデジタル並列信号に変換し、ついでＩＮＤＥＸ読み取り回路１０（ＩＮＤＸ読み取り１〜ＩＮＤＸ読み取り４）で1ライン目の０ピクセル部分から挿入されたパケット構造のデータをそれぞれ識別し、そのデータ列からデータ補助データのＩＮＤＥＸ番号を読み取る。
そして、ＩＮＤＥＸ信号を読み取る回路１０から読み取られたＩＮＤＥＸ信号をもとに並べ替え回路＆出力回路１１において、配列を正しく並べて投射光に変換し、この投射光で形成される投影画面２１を図示しないスクリーンに光学系１２により結像させて、正しい順序に並べられた高精細画像を表示する。
次に図３に並べ替え回路１１の概要図を示し、動作について説明する。
並べ替え回路１１は入力回路ＩＮ１〜ＩＮ４、ＩＮＤＥＸ判定回路Ｊ１〜Ｊ４、切り替えスイッチＳＷ１〜ＳＷ４、及び出力回路ＯＵＴ１〜ＯＵＴ４で構成される。
撮像装置１からケーブルを介してプロジェクター７へ送られたＳＤＩ信号の１つは回路９でデジタル直列信号からデジタル並列信号に変換されてＩＮＤＥＸ信号を読み取る回路１０に加えられＩＮＤＥＸ信号Ｄ１と画像信号Ｖ１に分離され並べ替え回路１１の入力部ＩＮ１に入力される。
次にＤ１はＩＮＤＥＸ判定回路Ｊ１により、まず、ＩＮＤＥＸ信号を含まない信号か、及びＩＮＤＥＸ１であるかを判定し、どちらかがＹｅｓの場合はビデオスイッチＳｗ１をＯＮにして接点Ｓ１ａとＳ１ｂを接続させてＶ１を１チャンネル目の画像信号Ｖ１として出力部ＯＵＴ１に送り、Ｓｗ５、Ｓｗ９，Ｓｗ１３をＯＦＦにする。
Ｓｗ１でＮｏと判定された場合は、Ｄ１，Ｖ１共に次の判定回路Ｊ５へ送られる。
Ｊ５ではＤ１がＩＮＤＥＸ２であるかが判定されＹｅｓであればビデオスイッチＳｗ５をＯＮにして接点Ｓ５ａとＳ５ｂを接続させてＶ１を２チャンネル目の画像信号として出力部ＯＵＴ２に送り、Ｓｗ１、Ｓｗ９、Ｓｗ１３をＯＦＦにする。
以下同様にして、ＩＮＤＥＸを判定しＶ１を所定の出力部へ送る。
Ｄ２とＶ２、Ｄ３とＶ３、Ｄ４とＶ４も同様にして回路１０からＩＮ２，ＩＮ３，ＩＮ４へ入力されそれぞれ判定してＩＮＤＥＸに沿った出力部へ送られる。
図３の例ではＩＮＤＥＸがＤ１＝２０２ｈ、Ｄ２＝２０１ｈ，Ｄ３＝２０４ｈ，Ｄ４＝２０３ｈの場合を示しており、従ってＳｗ５，Ｓｗ２，Ｓｗ１５，Ｓｗ１２がそれぞれＯＮになり出力回路ＯＵＴ１にはＶ２、ＯＵＴ２にはＶ１、ＯＵＴ３にはＶ４、ＯＵＴ４にはＶ３が送られる。
このようにすれば、回路１０から送られてきた画像信号Ｖ１〜Ｖ４の配列を把握していなくてもＩＮＤＥＸ信号に沿った順番の画像信号が出力回路ＯＵＴ１〜ＯＵＴ４で得られる。
また、ＩＮＤＥＸ＝２００ｈが指定された場合、もしくはＩＮＤＥＸがない場合は、入力部ＩＮ１〜ＩＮ４に入力された順番で出力されるよう設定しておく。すなわちＯＵＴ１にはＶ１，ＯＵＴ２にはＶ２、ＯＵＴ３にはＶ３、ＯＵＴ４にはＶ４が送られる。
図１の表示システムの投影画面は、図３の例に基づき、ＩＮ１のＨＤＴＶ信号にＩＮＤＸ２（２００２ｈ）、ＩＮ２のＨＤＴＶ信号にＩＮＤＸ１（２００１ｈ）、ＩＮ３のＨＤＴＶ信号にＩＮＤＸ４（２００４ｈ）、ＩＮ４のＨＤＴＶ信号にＩＮＤＸ３（２００３ｈ）がそれぞれ挿入されても投影画面２１では順番通りに画面が接続された例である。
図１の投影画面２１のＣＨ１は並べ替え回路１１のＯＵＴ１からはＩＮＤＸ１の画像が投影され、ＣＨ２はＯＵＴ２、ＣＨ３はＯＵＴ３、ＣＨ４はＯＵＴ４から、それぞれのＩＮＤＥＸに応じて並び替えられた画像が投影される。
さらに、INDＥXが伝送等のエラーにより、同じ値のＩＮＤＥＸが存在した場合は、入力部順番が最も小さいものを優先させ、そのＩＮＤＥＸを使用する。それ以外の重複したＩＮＤＥＸを持つものはＩＮＤＥＸのうち使われていないものを入力部順番が最も小さい順に割り付けて出力する。
【００１５】
例）ＩＮ１  Ｄ１＝２０１ｈ  →  重複２０１ｈを出力
ＩＮ２  Ｄ２＝２０３ｈ  →  そのまま２０３ｈを出力
ＩＮ３  Ｄ３＝２０１ｈ  →  重複２０２ｈを出力
ＩＮ４  Ｄ４＝２０１ｈ  →  重複２０４ｈを出力
また、ＩＮＤＥＸが２０１ｈ〜２０４ｈ以外の範囲外のデータを認識した場合、使われていないＩＮＤＥＸを、入力部の順番に割り振る。
【００１６】
例）ＩＮ１  Ｄ１＝２０７ｈ  →  範囲外２０１ｈを出力
ＩＮ２  Ｄ２＝２０３ｈ  →  そのまま２０３ｈを出力
ＩＮ３  Ｄ３＝２１０ｈ  →  範囲外２０２ｈを出力
ＩＮ４  Ｄ４＝２０６ｈ  →  範囲外２０４ｈを出力
次に各種の伝送形態に使用する場合について説明する。
図４の（Ａ）は光ファイバー３２を使用して伝送した例で、撮像装置１から出力された４チャンネルのＳＤＩ１〜ＳＤＩ４のデジタル直列信号を光変調器３１で光多重信号Ｏｐ１に変換し、光ファイバー３２経由で光復調器３３へ送る。
光復調器３３からは光多重信号Ｏｐ１を再び４チャンネルのデジタル直列信号に復調変換するが、この時の各チャンネルの順序は、光変調器３１と光復調器３３の変換及び復調の配列が異なっていると、例えば撮像装置１からはＳＤＩ１，ＳＤＩ２，ＳＤＩ３，ＳＤＩ４の順序で出力されていたものが光復調器３３の復調後の配列としては図４（Ａ）に示すようにＳＤＩ２，ＳＤＩ１，ＳＤＩ４，ＳＤＩ３と異なってしまう場合がある。
ＢＳ放送局等でＨＤＴＶ画像を電波で視聴者に送信することが既に行われているが、放送を利用した表示システムとしては、図４（Ｂ）に示すように撮像装置１から出力された４チャンネルのＳＤＩ１〜ＳＤＩ４のデジタル直列信号を送信機３４で４チャンネルの電波Ｗａｖｅ１〜Ｗａｖｅ４に変換して送信アンテナ３４ａから電波を放射し放送し、視聴者側では受信アンテナ３５ｂで受信しこの受信した電波を受信機３５で再びデジタル直列信号に復調し表示する例が考えられる。
電波を受信した受信機３５では電波Ｗａｖｅ１〜Ｗａｖｅ４を再び４チャンネルのデジタル直列信号に復調変換するが、この時の各チャンネルの復調順序は定まっておらず、各視聴者が所有する受信機３５毎に異なる場合もある。例えば図４（Ｂ）の例では撮像装置１からはＳＤＩ１，ＳＤＩ２，ＳＤＩ３，ＳＤＩ４の順序で出力されていたものが、受信機３５による復調後の配列としては図４（Ｂ）に示すようにＳＤＩ４，ＳＤＩ２，ＳＤＩ１，ＳＤＩ４のように異なってしまう場合がある。
次に図５に示すように４チャンネルの画像をテープ、光ディスク、磁気ディスク等の記録媒体にまず記録した後、再生して表示する場合がある。
すなわち撮像装置１から４チャンネルのデジタル直列信号ＳＤＩ１，ＳＤＩ２，ＳＤＩ３，ＳＤＩ４が出力されるからこれを録画装置３５で記録媒体１〜記録媒体４に録画する。
そして再生装置３７に記録媒体を移動し再生してプロジェクター７に表示する。この場合記録媒体の移動時に順序が入れ替わったり、或いは録画装置３５と再生装置３７での記録媒体配列が一致していないと、再生装置３７での再生出力信号の順序が図５に示すようにＤＩ３，ＳＤＩ４，ＳＤＩ１，ＳＤＩ２のように異なってしまう場合がある。
以上列記した光ファイバーによる多重化伝送、電波による伝送、記録媒体での録画再生による各チャンネルの画像の順序が様々に入れ替わっても、撮像装置１でＩＮＤＥＸを付加し、表示装置（例えばプロジェクター７）でＩＮＤＥＸを読み出して並び替えることにより、各チャンネルの画像の配列順序に沿って表示される。
図６にＩＮＤＥＸの並び替えのフローチャートを示す。
【００１７】
図６のフロー制御は、図１の並び替え回路＆出力回路１１で行う。まず、検出したＩＮＤＥＸの並びで表示させるか、入力端子の接続順で表示させるか判断（Ｓ1）する。これは、表示装置のユーザーＭＥＮＵや外部スイッチ等でＩＮＤＥＸの並び順に表示させるかどうかを選択する。
ＩＮＤＥＸの並び順で、表示させる場合ＩＮＤＥＸ  ＭＯＤＥとする。ＩＮＤＥＸ  ＭＯＤＥを選択した場合、ＩＮＤＥＸを検出してメモリーに保持するか、ＩＮＤＥＸの検出を新たに行わず、メモリーに保持したＩＮＤＥＸを使用するかを選択（Ｓ２）する。これも、ユーザーＭＥＮＵで切り替えるか、外部ボタンで選択する。
ＩＮＤＥＸを検出する場合、ブランキング部にＩＮＤＥＸ用のパケットデータが有るかどうか判断（Ｓ３）し、無ければ、端子接続順に出力するようにＩＮＤＸ２００ｈを記憶させる（Ｓ５）。ＩＮＤＥＸがある場合は検出し（Ｓ４）、ＲＡＭやＥＰＲＯＭなどのメモリーに記憶させて（Ｓ６）、読み出す（７）。そして、メモリーから読み出された順番を出力する（Ｓ８）。
例えば、図１の撮像装置１プロジェクター７を始めて繋いで電源を入れたときに、接続設定の外部ボタンを設け、それを押している期間だけＩＮＤＥＸ検出を行い、正しい接続になったことを確認してからボタンを離す。このときメモリーに検出したＩＮＤＥＸを記憶するので、それ以後や、さらに電源を投入し直したときに、ボタンを押さなくても予めメモリーから読み取ったＩＮＤＥＸの順序で表示するようになる。
図７に図１の表示システムでＩＮＤＥＸの並び替えを外部から行う例を示す。
【００１８】
まず撮像装置１のＩＮＤＥＸ信号を付加する回路５に外部のパソコン等のデータ入力装置としてのＩＮＤＥＸｄａｔａ入力３８からＩＮＤＥＸ信号を付加する。この付加されたＩＮＤＥＸ信号はＲＡＭやＥＰＲＯＭなどのメモリーに記憶させて繰り返し用いる。
プロジェクター７側ではＩＮＤＥＸ信号による配列を外部のパソコン等のデータ入力装置としての並び替えｄａｔａ入力３９から指定するｄａｔａを入力し、この入力された並び替えｄａｔａをＲＡＭやＥＰＲＯＭなどのメモリーに記憶させて繰り返し用いる。
このように撮像装置１及びプロジェクター７に外部から各チャンネルの配列を制御出来る機能を設置しておけば、投影画面２１を観視しながら簡単に正確な画像配列を設置することが出来る。
本発明は、以上説明したようなＨＤＴＶ規格にとどまらず、現行の映像規格で表現できないピクセル数をもつ高精細な映像を、現行の映像規格のピクセル数に収まるように、画面をいくつかの領域に分割して伝送するシステムにおいて、分割した領域の順番にインデックス番号を割り振り、そのインデックス番号を映像信号のブランキング領域に挿入し、表示装置がそのインデックス番号を読み取りインデックス番号順に表示するシステムを提供する。また、伝送媒体は、ケーブル、光ファイバー、無線、記録媒体等に特にとらわれない。
【００１９】
また、インデックスの番号のルール作りは撮像装置と表示装置で取り決めておけば、特に制約は生じない利点がある。
【図面の簡単な説明】
【００２０】
【図１】本発明に係る高解像度画像表示システムの一例を示すブロック図である。
【図２】本発明に係るＩＮＤＥＸ挿入例の補助データのパケット構造を示す図であ  る。
【図３】本発明に係る並べ替え回路の実施例の概念図である。
【図４】本発明に係る伝送形態を示す図である。
【図５】本発明に係る録画再生装置の使用例を示す図である。
【図６】本発明に係る表示装置の出力制御を示すフローチャート図である。
【図７】本発明に係る外部ｄａｔａ入力一例を示すブロック図である。
【図８】従来の高解像度画像表示システムの一例を示すブロック図である。
【符号の説明】
【００２１】
１        撮像装置                        （撮像装置）
２        レンズ
３        撮像素子
４        ４分割回路
５        ＩＮＤＥＸ挿入回路
６        ＳＤＩ変換回路
７        プロジェクター                  （表示部）
８        ＳＤＩ入力回路
９        シリアル／パラレル変換回路
１０      ＩＮＤＥＸ読み取り回路
１１      並べ替え回路＆出力回路
１２      投射光を結像させる光学系
２０      撮像画面
２１      投影画面
３１      光変調器
３２      光ファイバー
３３      光復調器
３４      送信機
３５      受信機
３６      録画装置
３７      再生装置
Ｃｂ１，Ｃｂ２，Ｃｂ３，Ｃｂ４    ＢＮＣケーブル  （伝送部）
【図１】
2005184441.tif 000003
【図２】
2005184441.tif 000004
【図３】
2005184441.tif 000005
【図４】
2005184441.tif 000006
【図５】
2005184441.tif 000007
【図６】
2005184441.tif 000008
【図７】
2005184441.tif 000009
【図８】
2005184441.tif 000010